(57)【要約】【課題】簡単に最適な記録条件で相変化型光学記録媒体に記録できる技術を提供することである。【解決手段】パルストレイン型記録ストラテジにて強度変調したレーザ光を相変化型光学記録媒体に照射することによって記録する記録装置であって、  記録ストラテジを構成するパルストレインのトップパルスのパルス幅およびクーリングパルスのパルス幅を変化させる記録ストラテジ変更手段と、前記記録ストラテジ変更手段で変更された記録ストラテジにて記録する記録手段と、前記記録手段で記録された情報の再生信号の品質を判定する再生信号品質判定手段と、前記再生信号品質判定手段による情報を基にして前記トップパルスのパルス幅およびクーリングパルスのパルス幅を決定するパルス幅決定手段とを具備する。【選択図】図６
2008299977.tif 000002
【特許請求の範囲】
【請求項１】
パルストレイン型記録ストラテジを用い、記録パワー、消去パワー、バイアスパワーの少なくとも三つの間で強度変調したレーザ光を、相変化型光学記録媒体に照射することによって記録する記録方式における記録条件の決定方法であって、
記録ストラテジを構成するパルストレインのトップパルスのパルス幅およびクーリングパルスのパルス幅を変化させて記録させたテストパターンの再生信号品質からトップパルスのパルス幅とクーリングパルスのパルス幅とを決定する
ことを特徴とする記録条件決定方法。
【請求項２】
トップパルスのパルス幅およびクーリングパルスのパルス幅を互いに一定の関係を持たせて段階的に変化させてテストパターンを記録し、該記録されたテストパターンを再生し、該再生された再生信号の品質からトップパルスのパルス幅とクーリングパルスのパルス幅とを共に決定する
ことを特徴とする請求項１の記録条件決定方法。
【請求項３】
トップパルスのパルス幅およびクーリングパルスのパルス幅の変化が、前記トップパルスのパルス幅の変化量と前記クーリングパルスのパルス幅の変化量とが比例関係にある変化である
ことを特徴とする請求項１又は請求項２の記録条件決定方法。
【請求項４】
再生信号品質は再生して求められたＰＲＳＮＲ値および／またはエラーレートである
ことを特徴とする請求項１〜請求項３いずれかの記録条件決定方法。
【請求項５】
パルストレイン型記録ストラテジにて強度変調したレーザ光を相変化型光学記録媒体に照射することによって記録する記録装置であって、
記録ストラテジを構成するパルストレインのトップパルスのパルス幅およびクーリングパルスのパルス幅を変化させる記録ストラテジ変更手段と、
前記記録ストラテジ変更手段で変更された記録ストラテジにて記録する記録手段と、
前記記録手段で記録された情報の再生信号の品質を判定する再生信号品質判定手段と、
前記再生信号品質判定手段による情報を基にして前記トップパルスのパルス幅およびクーリングパルスのパルス幅を決定するパルス幅決定手段
とを具備することを特徴とする記録装置。
【請求項６】
記録ストラテジ変更手段は、
トップパルスのパルス幅およびクーリングパルスのパルス幅を互いに一定の関係を持たせて段階的に変化させる手段である
ことを特徴とする請求項５の記録装置。
【請求項７】
記録ストラテジ変更手段は、
トップパルスのパルス幅の変化量とクーリングパルスのパルス幅の変化量とに比例関係を持たせて変化させる手段である
ことを特徴とする請求項５又は請求項６の記録装置。
【請求項８】
パルス幅決定手段は、
再生信号品質判定手段による情報を基にしてトップパルスのパルス幅およびクーリングパルスのパルス幅を同時に決定する手段である
ことを特徴とする請求項５〜請求項７いずれかの記録装置。
【請求項９】
パルス幅決定手段は、
再生信号品質判定手段によるＰＲＳＮＲ値および／またはエラーレートを基にしてトップパルスのパルス幅およびクーリングパルスのパルス幅を決定する手段である
ことを特徴とする請求項５〜請求項８いずれかの記録装置。
【発明の詳細な説明】
【技術分野】
【０００１】
本発明は、相変化型光学記録媒体の記録に関する技術である。特に、高密度相変化型光学記録媒体の記録装置（記録再生装置）および高密度相変化型光学記録媒体の記録条件決定方法に関する。
【背景技術】
【０００２】
ＣＤ（Compact Disk）やＤＶＤ（Digital Video Disk又はDigital Versatile Disk）等の相変化型の光学記録媒体に情報の書込みを行うピックアップを制御する光制御回路が、従来より、知られている。この従来のピックアップを制御する光制御回路は、データによって変調された信号に従って半導体レーザの駆動電流をオン・オフ制御して時間幅の小さな矩形波状のレーザ光を出力し、このレーザ光を光学系を介して相変化型光学記録媒体に照射するものである。尚、これによって書込みが行なわれる。
【０００３】
又、例えば情報書込みが可能なＤＶＤ−Ｒ（追記型ＤＶＤ）やＤＶＤ−ＲＷ（書換え可能型ＤＶＤ）のような高密度な光学記録媒体に情報書込みを行う場合、記録膜に録再特性の良好なピットを形成（書込み）する為、記録ストラテジと呼ばれる制御を行っている。
【０００４】
ＤＶＤ−ＲＷの記録ストラテジでは、図１に示す如く、記録データに対応する半導体レーザの駆動電流をパルス列（パルストレイン）で与えており、記録マーク形成に際しては、各記録マーク長に対応する書込光をトップパルス（パルストレインの最初のパルスを「トップパルス」と言う。）とミドルパルス（トップパルスに連なるパルス群を「ミドルパルス」と言う。）とラストパルス（最後のパルスを「ラストパルス」と言う。）とクーリングパルス（ラストパルスに続くラストパルスと逆極性のパルスを「クーリングパルス」と言う。）との構成で生じさせている。
【０００５】
このＤＶＤ−ＲＷの記録ストラテジに基づいて半導体レーザの駆動電流を制御すると、トップパルス、ミドルパルス、及びラストパルスに従ってレーザ光のパワーが記録パワーとバイアスパワーとの間で変化し、この変化に応じて記録膜である相変化材料が溶融と冷却とを繰り返し、アモルファスが形成される。又、記録データのスペース部に相当する期間に消去パワーのレーザ光が照射されることで、相変化材料が結晶化される。尚、相変化オーバーライト可能な媒体においては、レーザ光の照射が消去を起こすこともあり、一旦、高温（溶融）状態になった後での冷却によりマークが形成されるメカニズムを使っている為、単純に、パワーやパルス幅を大きくすれば大きなマークが形成されるとは限らない。すなわち、トップパルス、ミドルパルス、ラストパルス、及びクーリングパルスの各々が相互に関係し合っており、各々を独立に調整しても、中々、最適な条件が求められない。
【０００６】
そして、ＨＤ  ＤＶＤのような高密度記録媒体では、記録ストラテジの調整は非常に微妙になって来る。その上、記録パワーと記録ストラテジには或る程度相関関係が有るので、記録パワー、記録ストラテジを構成するトップパルス、ミドルパルス、ラストパルス、クーリングパルスの各々を独立に調整する事が出来ない。例えば、やみくもに、記録パワー、トップパルス、ミドルパルス、ラストパルス、クーリングパルスの何れかを固定して調整すると言った手法では、局所最適な結果に陥ってしまう。そして、ＨＤ  ＤＶＤ−ＲＷの場合、記録パワーを高くしても、冷却速度を速くしないと、再結晶化によって、記録マークが形成できない。このことが、トップパルスやクーリングパルスを個別に調整することを、益々、難しくしている。特に、調整の初期段階（Ｔｔｏｐ，Ｔｃｌが最適からずれている）では、一層、個別調整を難しくしていた。
【特許文献１】特開２００３−２０８７１３
【特許文献２】特開２００４−２２００７
【特許文献３】特開２００４−２１３８６２
【特許文献３】特開２００６−２０９９３５
【発明の開示】
【発明が解決しようとする課題】
【０００７】
従って、本発明が解決しようとする課題は、簡単に最適な記録条件で相変化型光学記録媒体に記録できる技術を提供することである。
【課題を解決するための手段】
【０００８】
前記課題を解決する為の検討が進められて行った。先ず、クーリングパルス幅Ｔｃｌを変化させて記録を行った際の再生信号から得られるＰＲＳＮＲ値を調べた。すなわち、図２は、多数の異なるトップパルス幅Ｔｔｏｐに対して、クーリングパルス幅Ｔｃｌを変化させて記録を行った際の再生信号から得られるＰＲＳＮＲ値をプロットしたグラフである。この測定は、調整の最初の段階を想定しており、記録パワーやミドルパルス幅Ｔｍｐは、必ずしも、最適化されていない。
【０００９】
図２から、異なるトップパルス幅Ｔｔｏｐ各々について、局所的にＰＲＳＮＲを最大（極大）にするクーリングパルス幅Ｔｃｌの条件が存在し、記録パワー等が最適ではない為、ＰＲＳＮＲの値は高くないが、その極大値はトップパルス幅Ｔｔｏｐが違っても、余り大きくは異なっていない。すなわち、この結果からは、好ましいトップパルス幅Ｔｔｏｐとクーリングパルス幅Ｔｃｌを求めることは困難である。ＰＲＳＮＲの極大値が１３に近くなる条件は、（Ｔｔｏｐ，Ｔｃｌ）が  （０．２Ｔ，０．７Ｔ），（０．３Ｔ，０．５Ｔ），（０．４Ｔ，０．４Ｔ），（０．５Ｔ，０．３Ｔ），（０．６Ｔ，０．２Ｔ）等の如く多数存在する。しかしながら、これらの中から適当に条件を選んで調整を進めて行っても、多くの場合、局所最適な結果に陥ってしまい、本来、得られるべき最適な記録条件に到達することは難しい。
【００１０】
そして、記録パワー、消去パワー及び記録ストラテジの微調整を引き続き行って行った結果、ＰＲＳＮＲ値が最も高くなる本来の最適な条件は、トップパルスとクーリングパルスとの組み合わせが（Ｔｔｏｐ，Ｔｃｌ）＝（０．４Ｔ，０．４Ｔ）の場合だけであることが判って来た。この結果は図３から判る。図３は、図２でＰＲＳＮＲ値が最大となるトップパルスとクーリングパルスとの組み合わせ各々に対し、記録パワー、消去パワー及び記録ストラテジの微調整を行った後の設定に対して記録パワーマージンを測定したものである。図３から、トップパルスとクーリングパルスとの組み合わせが（Ｔｔｏｐ，Ｔｃｌ）＝（０．４Ｔ，０．４Ｔ）の場合に比べ、他の組み合わせから調整を始めた場合、ＰＲＳＮＲ値が悪いことが判る。すなわち、トップパルスとクーリングパルスとの組み合わせが（Ｔｔｏｐ，Ｔｃｌ）＝（０．４Ｔ，０．４Ｔ）で無い場合は、局所最適の結果に陥っている事が判る。つまり、トップパルスとクーリングパルスとを独立して調整しても意味が小さいことが判る。
【００１１】
尚、（Ｔｔｏｐ，Ｔｃｌ）が（０．４Ｔ，０．４Ｔ）に近い（０．４Ｔ，０．３Ｔ）あるいは（０．３Ｔ，０．４Ｔ）等の条件からならば、記録パワー調整後、トップパルス幅Ｔｔｏｐ、クーリングパルス幅Ｔｃｌを調整して行くと、本来の最適条件である（０．４Ｔ，０．４Ｔ）に到達することは可能であろう。すなわち、本来の最適条件から大きく違っていないパルス幅条件からならば、調整を開始することが出来る。但し、このような場合でも、出発点は、本来の最適条件から大きく違っていないと言うことが重要である。
【００１２】
ところで、ＰＲＳＮＲ値はアシンメトリに敏感に反応する指標である。トップパルスとクーリングパルスのどちらもアシンメトリを調節する為のパラメータである。その為、本来、トップパルスとクーリングパルスのどちらのパルスも調整し、アシンメトリを最適な値にすることでＰＲＳＮＲ値を上げなければならない。そして、トップパルスまたはクーリングパルスのどちらか一方のみを独立してＰＲＳＮＲ値が大きくなるように調整してしまうと、上記のような局所最適の結果に陥ってしまうことになる。従って、トップパルスとクーリングパルスとを共に調整することが大事なことが判る。
【００１３】
このような知見に基づいて本発明がなされたものである。
すなわち、前記の課題は、
パルストレイン型記録ストラテジを用い、記録パワー、消去パワー、バイアスパワーの少なくとも三つの間で強度変調したレーザ光を、相変化型光学記録媒体に照射することによって記録する記録方式における記録条件の決定方法であって、
記録ストラテジを構成するパルストレインのトップパルスのパルス幅およびクーリングパルスのパルス幅を変化させて記録させたテストパターンの再生信号品質からトップパルスのパルス幅とクーリングパルスのパルス幅とを決定する
ことを特徴とする記録条件決定方法によって解決される。
【００１４】
特に、パルストレイン型記録ストラテジを用い、記録パワー、消去パワー、バイアスパワーの少なくとも三つの間で強度変調したレーザ光を、相変化型光学記録媒体に照射することによって記録する記録方式における記録条件の決定方法であって、
記録ストラテジを構成するパルストレインのトップパルスのパルス幅およびクーリングパルスのパルス幅を変化させて記録させたテストパターンの再生信号品質からトップパルスのパルス幅とクーリングパルスのパルス幅とを共に決定する
ことを特徴とする記録条件決定方法によって解決される。
【００１５】
中でも、パルストレイン型記録ストラテジを用い、記録パワー、消去パワー、バイアスパワーの少なくとも三つの間で強度変調したレーザ光を、相変化型光学記録媒体に照射することによって記録する記録方式における記録条件の決定方法であって、
記録ストラテジを構成するパルストレインのトップパルスのパルス幅およびクーリングパルスのパルス幅を変化させて記録させたテストパターンの再生信号品質からトップパルスのパルス幅とクーリングパルスのパルス幅とを同時に決定する
ことを特徴とする記録条件決定方法によって解決される。
【００１６】
又、上記記録条件決定方法であって、トップパルスのパルス幅およびクーリングパルスのパルス幅を互いに一定の関係を持たせて段階的に変化させてテストパターンを記録し、該記録されたテストパターンを再生し、該再生された再生信号の品質からトップパルスのパルス幅とクーリングパルスのパルス幅とを共に決定する記録条件決定方法によって解決される。
【００１７】
又、上記記録条件決定方法であって、トップパルスのパルス幅およびクーリングパルスのパルス幅の変化が、前記トップパルスのパルス幅の変化量と前記クーリングパルスのパルス幅の変化量とが比例関係にある変化であることを特徴とする記録条件決定方法によって解決される。
【００１８】
又、上記記録条件決定方法であって、再生信号品質は再生して求められたＰＲＳＮＲ値および／またはエラーレートであることを特徴とする記録条件決定方法によって解決される。
【００１９】
又、前記の課題は、
パルストレイン型記録ストラテジにて強度変調したレーザ光を相変化型光学記録媒体に照射することによって記録する記録装置であって、
記録ストラテジを構成するパルストレインのトップパルスのパルス幅およびクーリングパルスのパルス幅を変化させる記録ストラテジ変更手段と、
前記記録ストラテジ変更手段で変更された記録ストラテジにて記録する記録手段と、
前記記録手段で記録された情報の再生信号の品質を判定する再生信号品質判定手段と、
前記再生信号品質判定手段による情報を基にして前記トップパルスのパルス幅およびクーリングパルスのパルス幅を決定するパルス幅決定手段
とを具備することを特徴とする記録装置によって解決される。
【００２０】
又、上記の記録装置であって、前記記録ストラテジ変更手段がトップパルスのパルス幅およびクーリングパルスのパルス幅を互いに一定の関係を持たせて段階的に変化させる手段であることを特徴とする記録装置によって解決される。
【００２１】
又、上記の記録装置であって、前記記録ストラテジ変更手段は、トップパルスのパルス幅の変化量とクーリングパルスのパルス幅の変化量とに比例関係を持たせて変化させる手段であることを特徴とする記録装置によって解決される。
【００２２】
又、上記の記録装置であって、前記パルス幅決定手段は、再生信号品質判定手段による情報を基にしてトップパルスのパルス幅およびクーリングパルスのパルス幅を同時に決定する手段であることを特徴とする記録装置によって解決される。
【００２３】
又、上記の記録装置であって、前記パルス幅決定手段は、再生信号品質判定手段によるＰＲＳＮＲ値および／またはエラーレートを基にしてトップパルスのパルス幅およびクーリングパルスのパルス幅を決定する手段であることを特徴とする記録装置によって解決される。
【発明の効果】
【００２４】
本発明によれば、トップパルスとクーリングパルスとを共に調整することで、調整を進めた場合に局所最適に陥ることが防止される。そして、本来の最適条件への調整が可能になる。例えば、トップパルス幅を増やしたら一緒にクーリングパルス幅も増やすなど、一定の対応関係を持たせた変化を与えることによって、トップパルス幅とクーリングパルス幅とのバランスを保ち、アシンメトリの変位方向を合わせることによって、トップパルスとクーリングパルスのパルス幅を同時に最適に調整でき、高品質な記録・再生が行なえる。
【００２５】
そして、高密度光ディスクの記録再生装置や記録ストラテジ調整法として広く対応でき、記録再生装置の信頼性を著しく高める。
【発明を実施するための最良の形態】
【００２６】
本発明は、記録条件決定方法である。特に、パルストレイン型記録ストラテジを用い、記録パワー、消去パワー、バイアスパワーの少なくとも三つの間で強度変調したレーザ光を、相変化型光学記録媒体に照射することによって記録する記録方式における記録条件の決定方法である。中でも、前記レーザ光を相変化型光学記録媒体に照射することによってマークとスペースとによるパターン列を形成（記録）する記録方式における記録条件の決定方法である。そして、記録ストラテジを構成するパルストレインのトップパルスのパルス幅およびクーリングパルスのパルス幅を変化させて記録させたテストパターンの再生信号品質からトップパルスのパルス幅とクーリングパルスのパルス幅とを決定するステップを有する。特に、記録ストラテジを構成するパルストレインのトップパルスのパルス幅およびクーリングパルスのパルス幅を変化させて記録させたテストパターンの再生信号品質からトップパルスのパルス幅とクーリングパルスのパルス幅とを共に（同時に）決定するステップを有する。前記のステップは、特に、トップパルスのパルス幅およびクーリングパルスのパルス幅を互いに一定の関係を持たせて段階的に変化させてテストパターンを記録する記録ステップと、この記録ステップで記録されたテストパターンを再生する再生ステップと、この再生ステップで再生された再生信号の品質からトップパルスのパルス幅とクーリングパルスのパルス幅とを決定（特に、共に（同時に）決定）する決定ステップとを有する。前記記録ステップにおいては、特に、トップパルスのパルス幅およびクーリングパルスのパルス幅の変化が、前記トップパルスのパルス幅の変化量と前記クーリングパルスのパルス幅の変化量とが比例関係にある変化であるように設定される。前記決定ステップにおいては、特に、再生信号品質はＰＲＳＮＲ値および／またはエラーレートが用いられる。
【００２７】
本発明は、記録装置（又は、記録再生装置）である。特に、パルストレイン型記録ストラテジにて強度変調したレーザ光を相変化型光学記録媒体に照射することによって記録する記録装置（又は、記録再生装置）である。中でも、上記記録条件決定方法が実行できる記録装置（又は、記録再生装置）である。そして、記録ストラテジを構成するパルストレインのトップパルスのパルス幅およびクーリングパルスのパルス幅を変化させる記録ストラテジ変更手段を有する。又、前記記録ストラテジ変更手段で変更された記録ストラテジにて記録する記録手段を有する。又、前記記録手段で記録された情報の再生信号の品質を判定する再生信号品質判定手段を有する。又、前記再生信号品質判定手段による情報を基にして前記トップパルスのパルス幅およびクーリングパルスのパルス幅を決定するパルス幅決定手段を有する。前記記録ストラテジ変更手段は、特に、トップパルスのパルス幅およびクーリングパルスのパルス幅を互いに一定の関係を持たせて段階的に変化させる手段である。又、トップパルスのパルス幅の変化量とクーリングパルスのパルス幅の変化量とに比例関係を持たせて変化させる手段である。前記パルス幅決定手段は、特に、再生信号品質判定手段による情報を基にしてトップパルスのパルス幅およびクーリングパルスのパルス幅を同時に決定する手段である。又、再生信号品質判定手段によるＰＲＳＮＲ値および／またはエラーレートを基にしてトップパルスのパルス幅およびクーリングパルスのパルス幅を決定する手段である。
【００２８】
以下、更に具体的に説明する。
図４は、本発明になる記録装置（例えば、情報記録・再生装置）の要部のブロック図である。
【００２９】
同図中、１は、相変化型光学記録媒体１３を駆動するスピンドル駆動系である。２は、相変化型光学記録媒体１３に光を照射し、それを検出する光ヘッド部である。３は、入力信号にフィルタリング等の処理を行うＲＦ回路部である。４は、入力信号を復調する復調器である。５は、装置全体を統括するシステムコントローラである。６は、記録すべき信号を変調する変調器である。７は、レーザダイオード（ＬＤ）である。８は、ＬＤ７を駆動するＬＤ駆動部である。９は、サーボ信号をコントロールするサーボコントローラである。１２は、ＬＤ７からの光を対物レンズ１０に反射させると共に相変化型光学記録媒体１３からの反射光を受光部１１に通過させるビームスプリッタである。
【００３０】
そして、受光部１１からの信号はＲＦ回路部３に入力され、フィルタリング、イコライジング、ＰＬＬ等の処理が施される。ＰＲＭＬを使用する場合は、ここで、ビタビ復号等の処理も行われる。今回使用したＲＦ回路部３のブロック図が図５に示される。すなわち、ＲＦ回路部３は、プリフィルタ１００と、オートゲインコントロール（ＡＧＣ）１０１と、Ａ／Ｄコンバータ（ＡＤＣ）１０２と、フェーズロックドループ（ＰＬＬ）１０３と、適応等化器１０４と、ビタビ復号器１０５と、信号品質測定器（再生信号品質判定器）１０６とで構成される。この信号品質測定器（再生信号品質判定器）１０６によってＰＲＳＮＲやエラーレートが求められる。
【００３１】
システムコントローラ５の内部には、図６に示される如く、信号品質測定器１０６で測定された再生信号品質からトップパルスのパルス幅Ｔｔｏｐとクーリングパルスのパルス幅Ｔｃｌとを同時に決定するパルス幅決定器Ｂと、トップパルスのパルス幅Ｔｔｏｐ及びクーリングパルスのパルス幅Ｔｃｌを相互に一定の対応関係（例えば、一次関数的に変化する関係）を持たせて所定の範囲内で、段階的に変化させる記録ストラテジ変更器Ｃとが内蔵されている。そして、先ず、制御部Ｄから記録ストラテジ変更器Ｃへトップパルス及びクーリングパルスのパルス幅調整開始の信号が送られる。制御部Ｄからの調整開始信号を受け、記録ストラテジ変更器Ｃは、トップパルスのパルス幅Ｔｔｏｐ及びクーリングパルスのパルス幅Ｔｃｌを相互に一定の対応関係（Ｔｔｏｐ＝ａ・Ｔｃｌ＋ｂの如きの線形関係）を持たせて所定の範囲内で段階的に変化させる。記録ストラテジ変更器Ｃで変更された記録ストラテジにてテストパターンの記録が記録器（ＬＤ駆動部）Ｅで行われる。そして、記録されたテストパターンの再生信号品質をＲＦ回路部３の信号品質測定器１０６で測定する。このＲＦ回路部３の信号品質測定器１０６で測定された信号品質を用いてパルス幅決定器Ｂが最適パルス幅を決定し、制御部Ｄにその情報が送られる。
【００３２】
本発明の特徴的な要素は、システムコントローラ内部のパルス幅決定器Ｂである。又、記録ストラテジ変更器Ｃである。又、信号品質測定器１０６である。更には、記録器Ｅである。
【００３３】
上記情報記録再生装置は図７に示す処理手順でトップパルス及びクーリングパルスのパルス幅Ｔｔｏｐ，Ｔｃｌを調整する。使用する記録ストラテジは、図１に示すものと同じでも良いが、特に、図８のような（k−１)型のパルストレインを用いる。
【００３４】
先ず、本発明の記録ストラテジ調整に用いるパルス幅変更範囲を決定する為、初期のトップパルスのパルス幅をｘ［Ｔ］、初期のクーリングパルスのパルス幅をｙ［Ｔ］、トップパルスのパルス幅変更間隔をｂ［Ｔ］、クーリングパルスのパルス幅変更間隔をｃ［Ｔ］とする。トップパルスのパルス幅変更間隔ｂ［Ｔ］とクーリングパルスのパルス幅変更間隔ｃ［Ｔ］との間には一定の対応関係を持たせる。例えば、最も簡単には、トップパルス幅とクーリングパルス幅とを同量変化させることでも良い（ｂ＝ｃ）。媒体の特性によっては、先頭パルス幅とクーリングパルス幅とが同じで無い方が好ましい場合もあるので、変化の比率は１対１に限らない。先頭パルス幅変化を０．１Ｔ刻みとした場合に、クーリングパルス幅の変化を０．０５Ｔ刻みにするのが好ましい場合や、逆に、クーリングパルス幅の変化を０．１５Ｔ刻みにした方が良い場合も存在する。相互のパルス幅変化量は必ずしも比例させる必要はなく、相互にバランスがとれた変化を与えれば良いので、先頭パルス変化量ほどクーリングパルス変化量を大きくしたくない場合には、先頭パルス幅変化量（ｂ）の平方根（ｂ1/2）をクーリングパルス幅の変化量（ｃ）としても良い。
【００３５】
本実施例では、光ヘッド部２として、ＬＤ波長４０５ｎｍ、ＮＡ（開口数）０．６５のものを使用した。ＲＦ回路部にはＰＲ（１，２，２，２，１）用のビタビ復号器を有するものを使用した。相変化型光学記録媒体としては何度でも記録が可能な書き換え型のＨＤ  ＤＶＤ−ＲＷを用いた。このディスクの物理構造としては、ポリカーボネイトからなる厚さが０．６ｍｍ、直径が１２ｃｍの円板状の透明な基板に、プリグルーブと呼ばれる案内溝が形成されており、記録・再生時には、情報記録再生装置、即ち、相変化型光学記録媒体ドライブの光ビームがこの案内溝に沿って走査するようになっている。この基板上には記録用の膜が成膜されている。物理フォーマットとしては、ビットピッチが０．１５μｍ、トラックピッチが０．４０μmのイングルーブ・フォーマットを用いた。
【００３６】
次に、本発明のトップパルス、クーリングパルス調整を行う。トップパルス、クーリングパルス調整は図７の手順にて行なわれる。先ず、初期のトップパルスのパルス幅をｘ［Ｔ］、初期のクーリングパルスのパルス幅をｙ［Ｔ］、トップパルスのパルス幅変更間隔をｂ［Ｔ］、クーリングパルスのパルス幅変更間隔をｃ［Ｔ］、繰り返し回数ｍ回を設定する。こうすることにより、パルス幅変更範囲をトップパルスはｘ〜ｘ＋ｂ×ｍ［Ｔ］、クーリングパルスはｙ〜ｙ＋ｃ×ｍ［Ｔ］となる。トップパルスのパルス幅をｘ＋ｂ×ｉ（ｉ＝０）＝ｘ［Ｔ］、クーリングパルスのパルス幅をｙ＋ｃ×ｉ（ｉ＝０）＝ｙ［Ｔ］にてテストパターンを記録する。記録された記録マークの再生信号の信号品質を測定する。そしてｉを１増加させ、記録ストラテジのパルス幅を広げ、同様の測定をｍ［回］行う。ｍ［回］測定を行った時点で、再生信号の信号品質におけるトップパルスとクーリングパルスのパルス幅依存性が取得できる。この記録ストラテジのパルス幅依存性の中で、最も信号品質の高いトップパルスのパルス幅Ｔｔｏｐとクーリングパルスのパルス幅Ｔｃｌの組み合わせを、最適なトップパルスのパルス幅Ｔｔｏｐと最適なクーリングパルスのパルス幅Ｔｃｌとの組み合わせとする。
【００３７】
本実施例では、初期のトップパルスのパルス幅を０．１［Ｔ］、初期のクーリングパルスのパルス幅を０．１［Ｔ］、トップパルスのパルス幅変更間隔を０．１［Ｔ］、クーリングパルスのパルス幅変更間隔を０．１［Ｔ］、繰り返し回数を５回とした。すなわち、トップパルスのパルス幅とクーリングパルスのパルス幅とを同時に０．１Ｔから０．６Ｔまで変化させてテストパターンを記録し、この記録したテストパターンの再生信号の再生信号品質（ＰＲＳＮＲ）が最も高くなるトップパルスのパルス幅とクーリングパルスのパルス幅とが最適なパルス幅となる。トップパルスとクーリングパルス調整を図７の手順で行った結果を図９に示す。図９から最適なトップパルスとクーリングパルスのパルス幅は（Ｔｔｏｐ，Ｔｃｌ）＝（０．４Ｔ，０．４Ｔ）であることが判る。
【００３８】
そして、トップパルス及びクーリングパルスの調整後、次の二つのステップを行う。
一つは、記録パワーと消去パワーとの二つのパワーの中のどちらか一方のパワーを固定し、他方のパワーを所定の範囲内にて、所定の間隔で、段階的に変化させてテストパターンを記録する。この記録したテストパターンの再生信号の品質から記録パワー、消去パワーを調整するパワー調整ステップである。
【００３９】
もう一つは、トップパルスとラストパルスとクーリングパルスの中の一つのパルス幅を所定の範囲内にて、所定の間隔で、段階的に変化させ、他のパルスを固定してテストパターンを記録する。この記録したテストパターンの再生信号の品質からトップパルスとラストパルスとクーリングパルスとを個別に調整するパルス幅調整ステップである。
【００４０】
パワー調整ステップは図１０に示される処理手順である。
先ず、パワー調整ステップで使用するパワー変更範囲を決定する為、初期パワーｄ［ｍＷ］、パワー変更間隔ｅ［ｍＷ］、パワー調整繰り返し回数n回を設定する。こうすることで、パワー変更範囲はｄ〜ｄ＋ｅ×ｎ［ｍＷ］となる。次に、パワーをｄ＋ｅ×ｊ（ｊ＝０）=ｄ［ｍＷ］にてテストパターンを記録する。そして、記録されたテストパターンの再生信号品質（ＰＲＳＮＲ）を測定する。次に、ｊを１増加させ、そしてパワーを増加させ、同様の測定をn回行う。n回測定を行った時点で、最も再生信号品質の高いパワーを最適なパワーとする。
【００４１】
この処理手順を消去パワー、記録パワーに適用する。例えば、消去パワー、記録パワーの順に適用する。
【００４２】
実際には、先ず、記録パワーを８．５［ｍＷ］に固定した状態で消去パワーの調整を行う。消去パワーの初期パワーを１．５［ｍＷ］、消去パワー変更間隔を０．２［ｍＷ］、消去パワー調整繰り返し回数を１０[回]とし、図１０で示した処理手順に従って調整を実施した結果を図１１に示す。図１１から最適な消去パワーは２．５［ｍＷ］となる。
【００４３】
次に、上記で調整された消去パワー２．５［ｍＷ］に固定した状態で記録パワーの調整を行う。記録パワーの初期パワーを８．５［ｍＷ］、記録パワー変更間隔を０．２［ｍＷ］、記録パワー調整繰り返し回数を１０[回]とし、図１０で示した処理手順に従って調整を実施した結果を図１２に示す。図１２から最適な記録パワーは９．５［ｍＷ］となる。
【００４４】
次に、パルス幅調整ステップを実施する。パルス幅調整ステップは図１３に示す処理手順にて調整する。先ず、パルス幅調整ステップで使用するパルス幅変更範囲を決定する為に、初期パルス幅ｚ［Ｔ］、パルス変更間隔ｆ［Ｔ］、パルス幅調整繰り返し回数ｐ回を設定する。こうすることで、パルス幅変更範囲はｚ〜ｚ＋ｆ×ｐ［Ｔ］となる。次に、パルス幅をｚ＋ｆ×ｋ（ｋ＝０）＝ｚ［Ｔ］にてテストパターンを記録する。そして、記録されたテストパターンの再生信号品質（ＰＲＳＮＲ）を測定する。次に、ｋを1増加させ、そしてパルス幅を増加させて同様の測定をp回行う。ｐ回測定を行った時点で、最も再生信号品質の高いパルス幅を最適なパルス幅とする。
【００４５】
この処理手順を、クーリングパルス、トップパルス、ラストパルスの順に適用する。実際には、先ず、トップパルスを図７で示した処理手順にて調整された０．４［Ｔ］に、ラストパルスを０．４［Ｔ］に固定した状態でクーリングパルスの調整を行う。クーリングパルスの初期パルス幅を０．３［Ｔ］、クーリングパルスのパルス幅変更間隔を０．０５［Ｔ］、パルス幅調整繰り返し回数を１０[回]とし、図１３で示した処理手順に従って調整を実施した結果を図１４に示す。図１４から最適なクーリングパルスのパルス幅は０．４［Ｔ］であることが判る。
【００４６】
次に、上記で調整されたクーリングパルスのパルス幅０．４［Ｔ］に固定した状態でトップパルスのパルス幅の調整を行う。トップパルスの初期パルス幅を０．３［Ｔ］、トップパルスのパルス幅変更間隔を０．０５［Ｔ］、パルス幅調整繰り返し回数を１０[回]とし、図１３で示した処理手順に従って調整を実施した結果を図１５に示す。図１５から最適なトップパルスのパルス幅は０．４［Ｔ］であることが判る。
【００４７】
同様に、ラストパルスのパルス幅の調整を行う。ラストパルスのパルス幅調整時は、クーリングパルスのパルス幅を０．４［Ｔ］、トップパルスのパルス幅を０．４［Ｔ］に固定する。そして、ラストパルスの初期パルス幅を０．３［Ｔ］、ラストパルスのパルス幅変更間隔を０．０５［Ｔ］、パルス幅調整繰り返し回数を１０[回]とし、図１３で示した処理手順に従って調整を実施した結果を図１６に示す。図１６から最適なラストパルスのパルス幅は０．５［Ｔ］であることが判る。
【００４８】
よって、トップパルス及びクーリングパルスの幅が最適な条件は（Ｔｔｏｐ，Ｔｃｌ）＝（０．４Ｔ，０．４Ｔ）となる。
【００４９】
トップパルスの幅とクーリングパルスの幅とを独立に調整した場合、上記した通り、最適に調整できない場合があるのに対して、本発明の如くに記録ストラテジ調整を行うことによって、最適なトップパルス及びクーリングパルスの幅を簡単に決定できる。
【００５０】
上記実施例では、トップパルスのパルス幅変更間隔とクーリングパルスのパルス幅変更間隔とが同等の場合で説明した。
これに対して、下記の実施例では、トップパルスのパルス幅変更間隔とクーリングパルスのパルス幅変更間隔とが同じでない場合を説明する。例えば、トップパルスのパルス幅変更間隔が０．１［Ｔ］で、クーリングパルスのパルス幅変更間隔が０．２［Ｔ］の場合と、トップパルスのパルス幅変更間隔が０．３［Ｔ］で、クーリングパルスのパルス幅変更間隔が０．２［Ｔ］の場合との二通りの場合で検証する。
【００５１】
先ず、トップパルスのパルス幅変更間隔が０．１［Ｔ］、クーリングパルスのパルス幅変更間隔が０．２［Ｔ］の場合について検証する。初期のトップパルスのパルス幅を０．１［Ｔ］、初期のクーリングパルスのパルス幅を０．１［Ｔ］、トップパルスのパルス幅変更間隔を０．１［Ｔ］、クーリングパルスのパルス幅変更間隔を０．２［Ｔ］、そして繰り返し回数を５回とする。トップパルスとクーリングパルス調整を図７の手順で行った結果が図１７に示される。図１７からトップパルス及びクーリングパルスの幅が最適な条件は（Ｔｔｏｐ，Ｔｃｌ）＝（０．３Ｔ，０．５Ｔ）となる。
【００５２】
次に、消去パワー、記録パワーの順に適用する。実際には、先ず、記録パワーを８．５［ｍＷ］に固定した状態で消去パワーの調整を行う。消去パワーの初期パワーを１．５［ｍＷ］、消去パワー変更間隔を０．２［ｍＷ］、消去パワー調整繰り返し回数を１０[回]とし、図１０で示した処理手順に従って調整を実施した結果が図１８に示される。図１８から最適な消去パワーは２．５［ｍＷ］となる。
【００５３】
次に、上記で調整された消去パワー２．５［ｍＷ］に固定した状態で記録パワーの調整を行う。記録パワーの初期パワーを８．５［ｍＷ］、記録パワー変更間隔を０．２［ｍＷ］、記録パワー調整繰り返し回数を１０[回]とし、図１０で示された処理手順に従って調整を実施した結果が図１９に示される。図１９から最適な記録パワーは９．５［ｍＷ］となる。
【００５４】
次に、パルス幅調整ステップを実施する。クーリングパルスの初期パルス幅を０．３［Ｔ］、クーリングパルスのパルス幅変更間隔を０．０５[T]、パルス幅調整繰り返し回数を１０[回]とし、図１３に示された処理手順に従って調整を実施した結果が図２０に示される。図２０から最適なクーリングパルスのパルス幅は０．４［Ｔ］となる。
【００５５】
又、上記で調整されたクーリングパルスのパルス幅を０．４［Ｔ］に固定した状態でトップパルスのパルス幅の調整を行う。トップパルスの初期パルス幅を０．３［Ｔ］、トップパルスのパルス幅変更間隔を０．０５［Ｔ］、パルス幅調整繰り返し回数を１０[回]とし、図１３で示された処理手順に従って調整を実施した結果が図２１に示される。図２１から最適なトップパルスのパルス幅は０．４［Ｔ]となる。
【００５６】
又、同様に、ラストパルスのパルス幅の調整を行う。ラストパルスのパルス幅調整時は、クーリングパルスのパルス幅を０．４［Ｔ］、トップパルスのパルス幅を０．４［Ｔ］に固定する。そして、ラストパルスの初期パルス幅を０．３［Ｔ］、ラストパルスのパルス幅変更間隔を０．０５［Ｔ］、パルス幅調整繰り返し回数を１０[回]とし、図１３に示された処理手順に従って調整を実施した結果が図２２に示される。図２２から最適なラストパルスのパルス幅は０．５［Ｔ］となる。
【００５７】
よって、トップパルス及びクーリングパルスの幅が最適な条件は（Ｔｔｏｐ，Ｔｃｌ）＝（０．４Ｔ，０．４Ｔ）となる。
【００５８】
上記の例で使用した記録媒体は、トップパルス幅とクーリングパルス幅とが同じ値（０．４Ｔ）の時に最良の記録が行えるものである為、トップパルス幅変化量とクーリングパルス幅変化量を同じにした方が最適条件に近い値が早めに求められる。しかしながら、変化量を異ならせても、最終的には、最適なパルス幅条件が求められる。従って、記録特性が若干異なる記録媒体を混在使用する場合には、何れかの記録媒体に合わせたパルス幅変化関係を設定しておけば、概ね、如何なる媒体についても最適のパルス幅条件を求めることが出来る。
【００５９】
次に、トップパルスのパルス幅変更間隔が０．３［Ｔ］、クーリングパルスのパルス幅変更間隔が０．２［Ｔ］の場合について検証する。初期のトップパルスのパルス幅を０．１［Ｔ］、初期のクーリングパルスのパルス幅を０．１［Ｔ］、トップパルスのパルス幅変更間隔を０．３［Ｔ］、クーリングパルスのパルス幅変更間隔を０．２［Ｔ］、繰り返し回数を５回とする。トップパルスとクーリングパルス調整を図７の手順で行った結果が図２３に示される。図２３からトップパルス及びクーリングパルスの幅が最適な条件は（Ｔｔｏｐ，Ｔｃｌ）＝（０．４Ｔ，０．３Ｔ）となる。
【００６０】
そして、記録パワーを８．５［ｍＷ］に固定した状態で消去パワーの調整を行う。消去パワーの初期パワーを１．５［ｍＷ］、消去パワー変更間隔を０．２［ｍＷ］、消去パワー調整繰り返し回数を１０[回]とし、調整を実施した結果が図２４に示される。図２４から最適な消去パワーは２．５［ｍＷ］となる。
【００６１】
次に、上記で調整された消去パワーを２．５［ｍＷ］に固定した状態で記録パワーの調整を行う。記録パワーの初期パワーを８．５［ｍＷ］、記録パワー変更間隔を０．２［ｍＷ］、記録パワー調整繰り返し回数を１０[回]とし、調整を実施した結果が図２５に示される。図２５から最適な記録パワーは９．５［ｍＷ］となる。
【００６２】
そして、クーリングパルスの初期パルス幅を０．３［Ｔ］、クーリングパルスのパルス幅変更間隔を０．０５[T]、パルス幅調整繰り返し回数を１０[回]とし、調整を実施した結果が図２６に示される。図２６から最適なクーリングパルスのパルス幅は０．４［Ｔ］となる。
【００６３】
次に、上記で調整されたクーリングパルスのパルス幅を０．４［Ｔ］に固定した状態でトップパルスのパルス幅の調整を行う。トップパルスの初期パルス幅を０．３［Ｔ］、トップパルスのパルス幅変更間隔を０．０５［Ｔ］、パルス幅調整繰り返し回数を１０[回]とし、調整を実施した結果が図２７に示される。図２７から最適なトップパルスのパルス幅は０．４［Ｔ］となる。
【００６４】
同様に、ラストパルスのパルス幅の調整を行う。ラストパルスのパルス幅調整時は、クーリングパルスのパルス幅を０．４［Ｔ］、トップパルスのパルス幅を０．４［Ｔ］に固定する。ラストパルスの初期パルス幅を０．３［Ｔ］、ラストパルスのパルス幅変更間隔を０．０５［Ｔ］、パルス幅調整繰り返し回数を１０[回]とし、調整を実施した結果が図２８に示される。図２８から最適なラストパルスのパルス幅は０．４［Ｔ］となる。
【００６５】
よって、トップパルス及びクーリングパルスの幅が最適な条件は（Ｔｔｏｐ，Ｔｃｌ）＝（０．４Ｔ，０．４Ｔ）となる。
【００６６】
上述の通り、本発明が提案したトップパルスとクーリングパルスの調整方法により、トップパルスのパルス幅変更間隔とクーリングパルスのパルス幅変更間隔とが同等でない場合についても、局所最適に陥る事なく、最適に調整が出来る。
【００６７】
尚、本発明は波長４０５ｎｍ、ＮＡ０．６５に限定されることなく、あらゆる波長、ＮＡに適応可能である。又、上記実施例ではＰＲ（１２２２１）というクラスを使用したが、ＰＲ（１２２１）など他のクラスでも同様に使用できる。又、変調符号としてＨＤ  ＤＶＤで採用されているＥＴＭを仮定したが、その他の変調符号でも同様に使用できる。その場合、例えば、ｋＴ（ｋは３以上の自然数）と言うような最短データ長が変わる場合も有り得る。又、上記実施例ではＨＤ  ＤＶＤを用いたが、ブルーレイディスク（ＢＤディスク）にあっても適用できる。
【産業上の利用可能性】
【００６８】
本発明は高密度光ディスクの記録再生装置や記録ストラテジ調整法の分野で非常に有用である。
【図面の簡単な説明】
【００６９】
【図１】パルストレインの概略図
【図２】トップパルスとクーリングパルスを独立に変化させた時のPRSNR値
【図３】PRSNR値が最大となるトップパルスとクーリングパルスとの組み合わせで、記録パワー、消去パワー及び記録ストラテジの微調整を行った後の記録パワーマージン
【図４】本発明の情報記録再生装置の要部のブロック図
【図５】本発明のＲＦ回路部のブロック図
【図６】本発明のシステムコントローラのブロック図
【図７】本発明の処理手順のフローチャート
【図８】本発明で用いた（ｋ−１）型のパルストレインの概略図
【図９】トップパルスとクーリングパルス調整結果
【図１０】パワー調整ステップの処理手順のフローチャート
【図１１】図１０の処理手順に従った消去パワーの調整結果
【図１２】図１０の処理手順に従った記録パワーの調整結果
【図１３】パルス幅調整ステップの処理手順のフローチャート
【図１４】図１３の処理手順に従ったクーリングパルス幅調整結果
【図１５】図１３の処理手順に従ったトップパルス幅調整結果
【図１６】図１３の処理手順に従ったラストパルス幅調整結果
【図１７】トップパルスとクーリングパルスとの調整結果
【図１８】図１０の処理手順に従った消去パワー調整結果
【図１９】図１０の処理手順に従った記録パワー調整結果
【図２０】図１３の処理手順に従ったクーリングパルス幅調整結果
【図２１】図１３の処理手順に従ったトップパルス幅調整結果
【図２２】図１３の処理手順に従ったラストパルス幅調整結果
【図２３】トップパルスとクーリングパルスとの調整結果
【図２４】図１０の処理手順に従った消去パワー調整結果
【図２５】図１０の処理手順に従った記録パワー調整結果
【図２６】図１３の処理手順に従ったクーリングパルス幅調整結果
【図２７】図１３の処理手順に従ったトップパルス幅調整結果
【図２８】図１３の処理手順に従ったラストパルス幅調整結果
【符号の説明】
【００７０】
１        スピンドル駆動系
２        光ヘッド部
３        ＲＦ回路部
４        復調器
５        システムコントローラ
６        変調器
７        レーザダイオード（ＬＤ）
８        ＬＤ駆動系                          
９        サーボコントローラ
１０      対物レンズ
１１      受光部
１２      ビームスプリッタ
１３      相変化型光学記録媒体
１００    プリフィルタ
１０１    オートゲインコントロール（ＡＧＣ）
１０２    Ａ／Ｄコンバータ（ＡＤＣ）
１０３    フェーズロックドループ（ＰＬＬ）
１０４    適応等化器
１０５    ビタビ復号器
１０６    再生信号品質測定器
Ｂ        パルス幅決定器
Ｃ        記録ストラテジ変更器
Ｄ        制御部
特許出願人  日本電気株式会社
代  理  人  宇  高    克  己
【図１】
2008299977.tif 000003
【図２】
2008299977.tif 000004
【図３】
2008299977.tif 000005
【図４】
2008299977.tif 000006
【図５】
2008299977.tif 000007
【図６】
2008299977.tif 000008
【図７】
2008299977.tif 000009
【図８】
2008299977.tif 000010
【図９】
2008299977.tif 000011
【図１０】
2008299977.tif 000012
【図１１】
2008299977.tif 000013
【図１２】
2008299977.tif 000014
【図１３】
2008299977.tif 000015
【図１４】
2008299977.tif 000016
【図１５】
2008299977.tif 000017
【図１６】
2008299977.tif 000018
【図１７】
2008299977.tif 000019
【図１８】
2008299977.tif 000020
【図１９】
2008299977.tif 000021
【図２０】
2008299977.tif 000022
【図２１】
2008299977.tif 000023
【図２２】
2008299977.tif 000024
【図２３】
2008299977.tif 000025
【図２４】
2008299977.tif 000026
【図２５】
2008299977.tif 000027
【図２６】
2008299977.tif 000028
【図２７】
2008299977.tif 000029
【図２８】
2008299977.tif 000030